(57)【要約】【課題】  身体の動きを強制するのではなく、使用者が自ら理想のフォームを意識しながら動作できるようにすることで、潜在的に理想のフォームを会得でき、更に外した状態でも理想的なフォームで動作できるフォーム矯正具の提供。【解決手段】  目的とするフォームにおいて動作させるべきポイントとその動作方向を意識するように、装着時において使用者の所定の部位に当接する２つ以上の当接部材と、この当接部材同士を連結すると共に、使用者の身体に装着される装着部を備える連結部材とからなるフォーム矯正具とした。【選択図】図３
2017042460.tif 000002
【特許請求の範囲】
【請求項１】
スポーツにおける動作姿勢を矯正する為のフォーム矯正具であって、
装着時において使用者の所定の部位に当接する２つ以上の当接部材と、
この当接部材同士を連結すると共に、使用者の身体に装着される装着部を備える連結部材とからなり、
当該連結部材は、少なくとも連結している当接部材同士の間の領域が、その連結方向に伸縮自在に形成されていることを特徴とする、フォーム矯正具。
【請求項２】
前記連結部材は紐状又は帯状に形成されており、
前記当接部材は中心部分を貫通する貫通孔を備えており、当該貫通孔内に前記連結部材を通して両者を一体化している、請求項１に記載のフォーム矯正具。
【請求項３】
前記連結部材は、装着時において緊張状態となる長さであって、且つ布帛に対する摩擦抵抗の大きい材質で形成されており、
前記当接部材は、スポーツにおける動作姿勢で意識されるべき身体の一部に存在する位置に設けられ、且つ前記連結部材は当該当接部材が存在する部位の動作方向に緊張するように設けられる、請求項１又は２に記載のフォーム矯正具。
【請求項４】
前記連結部材は使用者における片側の足首部から肩部を通って他方の足首部まで一体状に繋がる長さであって、
少なくとも４個以上の当接部材が設けられており、当該当接部材は、前記連結部材に対して摺動自在に設けられている、請求項１〜３の何れか一項に記載のフォーム矯正具。
【請求項５】
前記動作姿勢を矯正する対象となるスポーツはゴルフであって、
前記当接部材は、使用者の左右の肩甲骨内側縁部分、左右の膝外側部分及び左右の踝外側部分に当接する位置に設けられており、
前記連結部材は、右踝外側部分、右膝外側部分、左肩甲骨内側縁部分に存在する当接部材を連結する第１連結部と、左踝外側部分、左膝外側部分、右肩甲骨内側縁部分に存在する当接部材を連結する第２連結部とからなる、請求項１〜４の何れか一項に記載のフォーム矯正具。
【発明の詳細な説明】
【技術分野】
【０００１】
本発明は、ゴルフ、テニス、野球等の各種のスポーツにおける動作姿勢を矯正する為のフォーム矯正具に関し、特に動作を強制的に制限するものではなく、装着することにより動作するポイントを意識させて、動作姿勢を意識させるようにしたフォーム矯正具に関する。
【背景技術】
【０００２】
ゴルフ、テニス、野球等を始めとする各種のスポーツにおいては、プレイヤーの筋力やスタミナを最大限に引き出すために、基本的な動作姿勢としての「フォーム」が重要視されている。よってこれらのスポーツにおける技量・技術の上達を図るためのトレーニングに際しては、筋力の増強を図るだけでなく、スイング等の基本姿勢（フォーム）を矯正する事も行われており、その為の器具も幾つか提供されている。
【０００３】
例えば、特許文献１（特開２００４−６５９５９号公報）では、テニス、卓球、ゴルフ、バドミントンなどラケットを使用するスポーツをはじめとする多くのスポーツの正しいフォームを身に着けるように開発されたスポーツのフォーム矯正装着着が提案されている。この文献で提案されているスポーツのフォーム矯正装着着は、左右の上腕の内転および外転を抑制するために、８の字によじれて背中側からループになったところに腕を通して両脇にかけた肩のエラスチックベルトに両腕の付け根を絞めるエラスチックベルトが脇のところで縫い付けて構成されている。
【０００４】
また、従前では特定のスポーツ種目の練習に特化したフォーム矯正具も提供されている。特に数多くのスポーツ種目において、ゴルフは、停止しているボールを、意図した方向に、所定の距離だけ飛翔する様にショットしなければならないことから、基本的なスィングフォームが極めて重要である。即ち、ゴルフにおいては、適正なフォームを習得できなければ、余計な部位に力が入ってしまい、ショットの方向がズレてしまったり、思った通りの飛距離が出ない場合も多い。この為、従前においても、基本的なスィングが重要視されるゴルフにおいては、そのスィングフォームを矯正する為の機械・器具が幾つか提案されている。
【０００５】
例えば、特許文献２（特開２００６−５５２６７公報）では、正しいゴルフスイングの練習が容易にできるスイングサポータとして、弾性を有する帯紐にて形成したたすき本体と、このたすき本体の両側に設けられ人体の上腕の内側から外側に巻き付けられるとともに先端部が前記人体の手首に装着されたサポータに取り付けられる弾性を有する帯紐にて形成した一対の巻き付け部とを具備したゴルフスイング練習具が提案されている。
【０００６】
また、特許文献３（実開平６−５６６３号公報）では、上半身と下半身の動作を総合的に矯正して、正しいゴルフスイングに矯正するべく、半身に装着するサポータと、一端を前記サポータに連結し他端を靴に引掛けて上半身から下半身にそれぞれ逆方向に巻付ける２本の第１矯正ベルトと、一方の腕の上腕部と他方の腕の肘部とを連結する伸縮自在な２本の第２矯正ベルトから成るゴルフ用練習具を提案している。
【先行技術文献】
【特許文献】
【０００７】
【特許文献１】特開２００４−６５９５９号公報
【特許文献２】特開２００６−５５２６７公報
【特許文献３】実開平６−５６６３号公報
【発明の概要】
【発明が解決しようとする課題】
【０００８】
上記のように、従前においてもゴルフを始めとする様々なスポーツにおいて、その動作フォームを矯正する為の機械・器具（以下、「フォーム矯正具」とする）が種々提案されている。しかしながら、従来提案されているこの種のフォーム矯正具は、ゴムなどの弾性部材を利用して身体の動きを制限し、強制的に理想のフォームを形作るものが殆どであった。このような動作を制限するフォーム矯正具の場合には、此れを着用している時には身体の動きが制限される事から理想のフォームを実現する事はできるが、その着用を外した場合には矯正前のフォームに戻ってしまい、根本的なフォームの矯正が困難であった。
【０００９】
そこで本発明は、身体の動きを強制するのではなく、使用者が自ら理想のフォームを意識しながら動作できるようにすることで、潜在的に理想のフォームを会得できるようにすることを第一の課題とし、更に当該フォーム矯正具を外した状態でも、潜在的に会得した理想的なフォームで動作する事ができるようにしたフォーム矯正具を提供する事を第二の課題とする。
【００１０】
また、上記のように従前のフォーム矯正具は、意図しない向きに動作する事のない様に、ゴムなどの弾性部材で使用者の動きを制限するものであった。この為、当該フォーム矯正具を着用して練習した場合には、動作が規制されている向きに抗する為の筋力が強化されてしまい、むしろ理想のフォームから離れてしまう事も考えられた。
【００１１】
そこで本発明は、動作を規制するのではなく、動作させる部位とその方向を意識させるように作用する事で、意図しない筋力の発達を防ぎ、そして効率的な練習を実現する事で、理想のフォームに迅速に到達できるようにしたフォーム矯正具を提供する事を第三の課題とする。
【００１２】
更に、ゴルフなどのスポーツの練習に際しては、コーチの指導を受けることで上達を早める事も行われている。しかしながら、スポーツにおける基本的な姿勢であって、且つ動作を伴う場合には、言葉だけで動作を指導するのは困難である。例えば両足を肩幅にするという動作をとっても、日常生活においては特段意識していない両足を改めて意識しなければならず、その結果、指導通りの動作ができない場合もあった。
【００１３】
そこで本発明は、プレイヤーが動作させるべき部位を的確に意識させる事ができるようにし、コーチの指導内容を忠実に再現できるようにしたフォーム矯正具を提供する事を第四の課題とする。
【００１４】
そして、従来提供されているフォーム矯正具は、身体の動きを強制的に制限するものであったことから、その大きさは使用者の体形に一致していなければならなかった。したがって、従前におけるフォーム矯正具を使用して、目的とする作用効果を得る為には、使用者の体形に合わせて都度作り直すか、或いは使用者自身がサイズを調整できるように製造しなければならなかった。
【００１５】
そこで本発明は、使用できる体系やサイズについて一定の幅を持たせることにより、汎用性を持たせて、多くのユーザーが利用できるようにしながらも、意図する効果が得られるようにしたフォーム矯正具を提供する事を第五の課題とする。
【課題を解決するための手段】
【００１６】
上記課題の少なくとも何れかを解決するべく、本発明では、使用者の動作を強制的に制限することなく、目的とするフォームにおいて動作させるべきポイントとその動作方向を意識させるように構成したフォーム矯正具を提供するものである。
【００１７】
即ち本発明では、スポーツにおける動作姿勢を矯正する為のフォーム矯正具であって、装着時において使用者の所定の部位に当接する２つ以上の当接部材と、この当接部材同士を連結すると共に、使用者の身体に装着される装着部を備える連結部材とからなり、当該連結部材は、少なくとも連結している当接部材同士の間の領域が、その連結方向（即ち、連結部材の長さ方向）に伸縮自在に形成されているフォーム矯正具を提供する。
【００１８】
本発明にかかるフォーム矯正具は、様々なスポーツにおける基本的なフォームを習得する為に、それまでの不適切なフォームを矯正する為に使用する事ができる。このフォーム矯正具は、様々なスポーツにおける動作姿勢（フォーム）を矯正する事ができ、その対象となるスポーツとしては、ゴルフ、テニス、水泳、野球、重量挙げ、アーチェリー、走高跳など、基本的なフォームと言われる動作が存在するスポーツが広く該当する。例えば、ゴルフであればスィングフォーム、野球であればピッチングフォームやバッティングフォーム、重量挙げであればスナッチフォーム等が挙げられる。
【００１９】
但し、これらスポーツにおいては、その種目ごとに基本的なフォームも異なっており、それぞれの動作で使用する部位や筋肉、或いは力加減も異なるのが通常である。しかしながら本発明にかかるフォームは、動作を制限するものではなく、それぞれの動作において基本となる部位、例えば動作時において軸になる部位とその動作方向を意識させるように機能するものであることから、各動作に応じた部位及び動作方向をマーキングするように調整すれば、様々な種類のスポーツにおいて使用する事ができる。
【００２０】
本発明のフォーム矯正具において、当接部材は、使用者の身体における特定の部位に当接することで、当該部位を使用者に意識させるように機能するものである。例えば、ゴルフスイング等の特定の動作を行う場合には、１つの動作において手足を始め、頸部、頭部、腹部、背中部など様々な部位を動作させることになる。この時、その動作を正確かつ力強く行う為には、特定の部位を意識しながら動作することが望ましい。しかし無意識に動作したのでは、力の分配などが散漫になってしまい、理想の動作を実現するのが困難になる。そこで本発明では、その動作において意識すべき部位を当接部材によって使用者（即ち、フォーム矯正具の装着者）に意識させるものである。
【００２１】
かかる当接部材は、使用者の身体を押圧する塊状として形成する他、振動により使用者に意識させても良く、更に熱によって使用者に意識させるように構成しても良い。押圧によって使用者の注意を喚起する場合には、直径１ｃｍ以上の球体、多面体形状の塊として形成する事ができる。また振動によって使用者の注意を喚起する場合には、小型モーターや電磁石等を内蔵する事ができ、更に熱によって使用者の注意を喚起する場合には、ヒーターなどを内蔵する事ができる。
【００２２】
また、上記当接部材は、スポーツにおける基本動作において、動作させるべき部位に設置する事ができる。かかる部位は、矯正する動作に応じて任意であるが、例えば間接とする事ができる。様々な動作を実現する際に、間接をどのように動かすかが重要である場合もある為である。また、動作に際して動かす筋肉や筋が存在する場所であっても良い。どこの筋肉や筋をどのように動かすかが重要な場合もあるためである。
【００２３】
上記当接部材は連結部材によって連結された状態で、利用者の身体に装着される。よってこの連結部材は使用者の身体に取り付けるための装着部を備えて構成される。かかる装着部としては、使用者の手や足などを通して装着するように形成する事ができ、例えばリング状又はベルト状に形成する事ができる。その他にも、当該装着部は使用者の身体の一部を挟んだり、或いは着衣や靴などに取り付けるように構成する事もできる。
【００２４】
また、この連結部材は紐又は帯状に形成する他、被服の様にして使用者が身に着けるように構成する事もできる。但し、紐状又は帯状に形成した場合には、着用が容易であって、様々なユニホームを着用可能である事から望ましい。かかる連結部材は、少なくとも前記当接部材同士の間が伸縮自在に形成される。これを装着している使用者の動作に際して、それぞれの当接部材が当たっている部位の移動方向を明確に意識させる為である。かかる連結部材は、望ましくはその全体が伸縮自在に形成される。全体が伸縮することにより、使用者の身体全体に対して動作の方向を意識させることができる為である。
【００２５】
また、当該連結部材を紐状又は帯状に形成した場合には、前記当接部材は中心部分を貫通する貫通孔を備えて形成し、当該貫通孔内に前記連結部材を通して両者を一体化していることが望ましい。当接部材に貫通孔を形成して、前記連結部材を通すことにより、当該連結部材に対する当接部材の存在位置を任意に調整する事ができ、これによって体格に応じて、又は矯正する動作姿勢に応じて、使用者の最適な部位に当該当接部材を押し当てる事ができる。
【００２６】
更にこの連結部材は、装着時において緊張状態となる長さであって、且つ布帛に対する摩擦抵抗の大きい材質で形成するのが望ましい。布帛に対する摩擦抵抗の大きい材質で形成することにより、緊張状態にある連結部材が伸縮する方向を明確に意識できる為である。したがって、この場合には、前記当接部材は、スポーツにおける動作姿勢で意識されるべき身体の一部に存在する位置に設けられ、且つ前記連結部材は当該当接部材が存在する部位の動作方向に緊張するように設けるのが望ましい。当接部材の当たっている部位の動作方向を、連結部材の伸縮によって明確に認識させることができるためである。このような布帛に対する摩擦抵抗の大きい材質とは、使用者が纏っている衣服に対して摩擦抵抗の大きい材料で形成することが望ましく、例えばゴムを用いて、表面にゴムが露出するように形成する他、バネを布帛などでカバーして形成する事ができる。
【００２７】
上記本発明にかかるフォーム矯正具は、使用者の上半身から下半身に亘って装着される長さに形成されるのが望ましい。上半身の動きと下半身の動きを連携させることにより、各種のスポーツにおける基本動作を身体全体において矯正できる為である。よって、上半身から下半身に至る身体の縦軸を捻じる動作を伴うフォームを矯正するフォーム矯正具の場合には、前記連結部材は使用者における片側の足首部から肩部を通って他方の足首部まで一体状に繋がる長さであって、少なくとも４個以上の当接部材を設けるのが望ましい。この４個の当接部材は、左右の脚部と上半身の背中部分に設ける事ができ、これにより上半身と下半身及び左右両側を連携させて、動作させる部位とその方向を示す事ができる。
【００２８】
このような身体の中心を捻じる動作は、例えばゴルフのスイングフォームやバッティングフォームにおいて重要になる。そこで本発明では、特にゴルフにおけるスイングフォームを矯正する為のフォーム矯正具を提供する。
【００２９】
即ち、前記動作姿勢を矯正する対象となるスポーツはゴルフであって、前記当接部材は、使用者の左右の肩甲骨内側縁部分、膝外側部分、踝外側部分に当接する位置に設けられており、前記連結部材は、右踝外側部分、右膝外側部分、左肩甲骨内側縁部分に存在する当接部材を連結する第１連結部と、左踝外側部分、左膝外側部分、右肩甲骨内側縁部分に存在する当接部材を連結する第２連結部とからなるフォーム矯正具を提供する。
【００３０】
このように構成したフォーム矯正具では、右肩甲骨内側縁部分を後方に押し出すことにより、当該部位に存在する当接部材も押し出される。この動作に伴って、第二連結部材で繋がっている、左膝外側部分及び左踝外側部分に当接する当接部分が使用者の該当部位を押圧することになる。したがって、ゴルフの基本動作におけるテイクバックに際して、動作させるべき部位と、動作させるべき方向を、使用者に明確に意識させる事ができる。そしてテイクバックの動作後には、左肩甲骨内側縁部分を、後方に勢いよく押し出すことにより、当該部位に存在する当接部材も押し出す。この動作に伴って、第一連結部材で繋がっている、右膝外側部分及び右踝外側部分に当接する当接部分が使用者の該当部位を押圧する。その結果、ゴルフの基本動作におけるダウンスイングに際して、動作させるべき部位と、動作させるべき方向を、使用者に明確に意識させる事ができる。
【００３１】
以上のような構成により、ゴルフの基本動作を行う際には、各動作において動作させるべき部位とその方向を明確に意識させることができ、しかも上半身から下半身に至る身体全体において動作部位及び方向を意識させることから、しなやかで力強いスイングフォームを潜在意識として身に着ける事ができる。
【００３２】
そして、このフォーム矯正具は、基本動作に際して、特定の部位の動作を制限したり、或いは補強するものではなく、動作させる部位とその方向を、これを着用している使用者に意識させるに留まるものである。よって、これを着用した使用者は、基本的な動作フォームを、例えば歩行動作と同じように、潜在意識として習得する事ができることから、当該フォーム矯正具を取り外した時でも、無意識のうちに理想の動作フォームで身体を動かす事ができる。
【発明の効果】
【００３３】
上記本発明にかかるフォーム矯正具によれば、身体の動きを強制するのではなく、使用者が自ら理想のフォームを意識しながら動作できるようにすることで、潜在的意識のうちに理想のフォームを会得することができる。また、当該フォーム矯正具は、動きを矯正乃至は制限するものではないことから、当該フォーム矯正具を外した状態でも、潜在的に会得した理想的なフォームで動作する事ができる。
【００３４】
特に本発明にかかるフォーム矯正具は、動作させる部位とその方向を意識させるように作用するものであって、意図しない向きへの動きをゴムなどの弾性部材で制限するものではない。よって、動作が規制されている向きに抗する為の筋力が強化してしまうことなく、短時間で、理想のフォームに近づくことのできるフォーム矯正具が実現する。
【００３５】
更に、スポーツの練習に際して、上達を早める為にコーチの指導を受ける場合であっても、動作させる部位を当接部材によって認識させていることから、その動作ポイントと方向などは、言葉で適切に指導する事ができる。よって、プレイヤーが動作させるべき部位を的確に意識する事ができるようにし、コーチの指導内容を忠実に再現できるようにしたフォーム矯正具を提供することができる。
【００３６】
そして、本発明にかかるフォーム矯正具は、動きを制限したり補助したりするものではなく、動作に際して注意すべき場所を認識させるものであることから、これを使用できる体系やサイズについて一定の幅を持たせることができ、よって汎用性を持たせて、多くのユーザーが利用できるようにしながらも、意図する効果が得られるようにしたフォーム矯正具を提供することができる。
【図面の簡単な説明】
【００３７】
【図１】第１の実施の形態にかかるフォーム矯正具を示す正面図である。
【図２】当接部材を示す要部拡大斜視図であり、（Ａ）当接部材を球体に形成した実施形態、（Ｂ）当接部材を振動する塊状に形成した実施形態を示している。
【図３】図１に示すフォーム矯正具を装着した状態を示す（Ａ）正面図、（Ｂ）背面図、（Ｃ）側面図、（Ｄ）動作姿勢である。
【図４】図１に示すフォーム矯正具の他の装着状態を示す（Ａ）正面図、（Ｂ）背面図、（Ｃ）側面図である。
【図５】ゴルフスイングの各動作における（Ａ）アドレス姿勢、（Ｂ）セットバック姿勢、（Ｃ）ダウンスイング姿勢をそれぞれ示している。
【図６】第２の実施の形態にかかるフォーム矯正具を装着した状態を示す正面図である。
【発明を実施するための形態】
【００３８】
以下では図面を参照しながら本実施の形態にかかるフォーム矯正具50と、その使用方法を具体的に説明する。特に図１〜４はゴルフにおけるスイングの基本動作を会得する為の第一の実施の形態にかかるフォーム矯正具50を示しており、図５はウエイトリフティングにおける基本動作を会得する為の第二の実施の形態にかかるフォーム矯正具50の例を示している。
【００３９】
先ず、図１〜４を参照しながら、第１の実施の形態にかかるフォーム矯正具50と、その動作を具体的に説明する。図１は、本実施の形態にかかるフォーム矯正具50を示す正面図であり、図２は当接部材10を示す要部拡大斜視図であり、（Ａ）当接部材10を球体に形成した実施形態、（Ｂ）当接部材10を振動する塊状に形成した実施形態をそれぞれ示している。また図３は当該フォーム矯正具50を装着した状態を示す（Ａ）正面図、（Ｂ）背面図、（Ｃ）側面図、（Ｄ）動作姿勢であり、図４は当該フォーム矯正具50の他の装着状態を示す（Ａ）正面図、（Ｂ）背面図、（Ｃ）側面図であり、図５はゴルフスイングの各動作を示しており、（Ａ）アドレス姿勢、（Ｂ）セットバック姿勢、（Ｃ）ダウンスイング姿勢をそれぞれ示している。
【００４０】
この実施の形態にかかるフォーム矯正具50は、図１に示す様に長さ方向の中心部分を環状に形成した長尺な連結部材20と、この連結部材20の適所に設けた当接部材10とで構成している。
【００４１】
連結部材20は、本実施の形態では天然ゴムを用いて形成しており、伸び縮みさせる際の力を弱める為に、チューブ状に形成されているゴム管を使用している。但し、この連結部材20は、ゴムを用いた帯状に形成する事もでき、更に天然ゴムの他、合成ゴムを用いて形成する事もできる。この連結部材20の製造に際しては、これを着用した者の動作を規制する事の無いように、できるだけヤング率の小さい材料を用いて形成するのが望ましい。但し、動作に応じて当接部材10を使用者の身体に押圧する程度の弾力性は必要である。
【００４２】
この連結部材20は、長さ方向の中央部分26を環状に形成している。この環状に形成している部分は中央を交差させており、この交差させた部分を固定してもよい。かかる環状部分は、装着した際において腕部を通すための領域として機能する事ができる。
【００４３】
またこの連結部材20の長さ方向両端部には、当該連結部材20（更には、フォーム矯正具50）を使用者の身体の一部に装着する為の装着部分25を形成している。本実施の形態では、当該装着部分25として、この連結部材20を使用者の脚部に装着する為のリング状に形成している。但し、この装着部分25は、このリング状に限らず、各種構造及び形状に形成する事ができ、例えば使用者が履いているシューズに装着できるような構造（例えばクリップや紐など）に形成する他、使用者の着衣に固定できるような構造（面ファスナーやピンなど）に形成する事ができる。
【００４４】
そして以上のように形成した連結部材20には、このフォーム矯正具50を装着した利用者（以下「装着者」とも言う）の身体の一部に当接して、装着者に当該部位を意識させる当接部材10が設けられる。図１に示す実施の形態では、当該当接部材10として中心に貫通孔を形成した球体が使用されている。この球体は、本実施の形態では当接時の圧力を考慮して弾力性を有する材料で形成しており、特に発泡ゴムを用いて形成している。かかるゴム性の材料を用いて形成することにより、装着者の衣服との抵抗が増加し、その存在場所を明確に意識する事ができる。また、この当接部材10の材質は、身体における当接する部位に応じて摩擦抵抗や柔らかさ等を変える事もできる。例えば、背中など触感が鈍い部位に当接する当接部材10は摩擦抵抗が大きく硬い材質で形成する事ができ、腕など触感が敏感な部位に対しては摩擦抵抗が少なく柔らかい材質で形成する事もできる。
【００４５】
また、この球体に形成した当接部材10は直径１〜１０ｃｍ程度に形成するのが望ましく、特に２〜５ｃｍ程度の大きさに形成するのが望ましい。直径１ｃｍ未満では装着者が当該当接部材10の存在を認識するのが困難になり、また１０ｃｍを超える大きさであると着用者の動作において邪魔になり、動作を阻害してしまうことも考えられるためである。但し、この当接部材10は、身体における当接する部位に応じて、その大きさを変える事もできる。例えば、背中など触感が鈍い部位に当接する当接部材10は大き目に形成し、腕など触感が敏感な部位に対しては小さ目の当接部材10を設けることもできる。更に背中など、動作に際して特段支障を来さない部位には大き目の連結部材20を設け、腕や脚などの動作する部位には小さ目の連結部材20とする事もできる。
【００４６】
上記の通り球状に形成した当接部材10は、図２（Ａ）に示す様に、中心の貫通孔に前記連結部材20を通して設けている。このように構成することにより、当該当接部材10は連結部材20の長さ方向に移動自在となり、その結果、装着者の体形や、トレーニングする動作に合わせて、適所に移動させることができる。
【００４７】
図２（Ｂ）は図１に示したフォーム矯正具50において使用する事ができる他の実施の形態にかかる当接部材10を示している。特にこの実施の形態にかかる当接部材10は、モーターや電磁石等を使用して振動するように構成しており、よってその存在をより確実に装着者に認識させることができる。また、このように振動する当接部材10は、身体に接していればよく、存在を認識させるための押圧力は必要でないことから、連結部材20は弾力性の弱い材料で形成する事もできる。更に、このように振動する当接部材10にあっては、押圧力が要求されないことも関連し、薄く形成する事もできる。その結果、着衣の下に装着した場合であっても、外から目立たないようにすることができる。
【００４８】
上記当接部材10を振動するように構成した場合には、振動を生じさせるモーターや電磁石を動作させる為の電源が必要になる。この電源は各当接部材10内に設ける事ができる他、前記連結部材20内を通した導線によって供給する事もできる。また、当該当接部材10が振動するものとして形成した場合には、各当接部材10の振動するタイミングを異ならせることができる。例えば特定のフォームをトレーニングする際に、最初の動作で動かすべき部位に当接する当接部材10を振動させ、次の動作で動かすべき部位に当接する当接部材10は、後から振動させるようにする事もできる。更に、動作を特に意識すべき部位に存在する当接部材10の振動を早くしたり、或いは振幅を大きくするなど、各当接部材10ごとに振幅や振動速度を異ならせても良い。なお、この図２（Ｂ）に示す、振動する当接部材10も、長さ方向に貫通する貫通孔に前記連結部材20を通して両者を一体化することができる。
【００４９】
次に、図３及び４を参照しながら、上記図１に示したフォーム矯正具50の装着状態と、装着時の動作を説明する。特に本実施の形態にかかるフォーム矯正具50は、ゴルフのスイングフォームを練習する際に、上半身と下半身とが一体に動作するように構成しており、前記連結部材20は上半身から下半身にかけて一連に繋がっている。
【００５０】
本実施の形態にかかる当接部材10は、装着者の左右の肩甲骨内側縁部分、左右の膝外側部分及び左右の踝外側部分に当接する位置に設けられており、右踝外側部分、右膝外側部分、左肩甲骨内側縁部分に存在する当接部材10は第１連結部21で繋がっており、左踝外側部分、左膝外側部分、右肩甲骨内側縁部分に存在する当接部材10は第２連結部22で繋がっている。そしてこの第１連結部21と第２連結部22とは装着者の背中で繋がっており、両連結部が全体として連結部材20を構成している。
【００５１】
図３に示す実施の形態では、このフォーム矯正具50は、環状の交差している部分を、装着者の背中側に存在させ、環状部分から腕を通している。そして環状部分の先端側は、股間を通って太ももの裏側に回り込んでいる。この時、右肩が通っている環状部分の先端側は左脚の太ももの裏側に回り込み、左肩が通っている環状部分の先端側は右脚の太ももの裏側に回り込んでいる。太ももの裏側から夫々の膝の外側側面に回り込んで、そのまま下方に存在する踝まで延長して、足部に装着されたリング状の連結部分に繋がっている。
【００５２】
なお、当該フォーム矯正具50の装着方法は、図３に示す態様に限らず、使用者の体形や練習内容等に応じて適宜変更する事もできる。例えば、図４に示す様に、連結部材20における環状の交差している部分を、装着者の背中側に存在させ、環状部分から腕を通してから着用者の腹部乃至は胸部で交差させても良い。そして右腕を通した環状部分の先端側を、左脚の膝部外側まで導いて、左脹脛の裏側を回して、左足部に装着したリング状の連結部分に繋げ、左腕を通した環状部分の先端側を、右脚の膝部外側まで導いて、右脹脛の裏側を回して、右足部に装着したリング状の連結部分に繋げても良い。即ち、本実施の形態にかかるフォーム矯正具50の装着方法は、前記図３又は４に示した方法に限らず、練習すべき内容や体形に合わせて任意に調整する事ができる。
【００５３】
次に図５を参照しながら、上記図３に示したようにフォーム矯正具50を装着して行うスイングフォームの練習状態を説明する。このフォーム矯正具50を装着した状態において、当接部材10の存在を意識しながらアドレス姿勢をとる（Ａ）。そして右肩甲骨部分を、当該部位に当接する当接部材10を意識しながら後ろ側に回り込ませてセットバック姿勢に移行する（Ｂ）。この時、当該動作によって伸長した連結部材20により、左ひざ横及び左踝部分に存在する当接部材10が押圧されることから、当該押圧されている当接部材10を意識し、且つ前記連結部材20の引っ張られている方に、当該当接部材10の当たっている部位に力を加える。そして十分に当該フォームを実現した後は、着用者の意識を左肩甲骨に存在する当接部材10に移し、今度は当該当接部材10を意識しながら勢いよく後ろに引っ張る様に身体を捻って、ダウンスイング姿勢を行う（Ｃ）。
【００５４】
以上の様に、本実施の形態にかかるフォーム矯正具50を装着すれば、動作を行う部位を明確に意識し、更に動作させるべき方向を意識する事ができるため、理想的なスイングフォームを、より早く且つより少ない練習量で実現する事ができる。そしてこの一連の動作においては、コーチが指導する場合であっても、動作させるべき部位（例えば「右肩甲骨」）と、動作方向（例えば「もっと後ろ」）などの指導内容を正確に意識できる事から、フォーム練習の上達を早める事ができる。更に、このフォーム矯正具50における連結部分は、筋力を補助するものでなければ、動きを制限するものでもないことから、当該フォーム矯正具50を取り外した場合でも、自然と理想のフォームで動作する事ができる。
【００５５】
図６は他の実施の形態にかかるフォーム矯正具50の装着状態を示している。特にこの実施の形態ではウエイトリフティングのトレーニングに適したフォーム矯正具50として具体化している。この実施の形態においても、上半身から下半身にかけて繋がっている連結部材20を使用者の身体に巻き付けるように装着している。そしてこの連結部材20には、動作において意識すべき部位に当接部材10を設けており、当該当接部材10によって、当該部位を意識させるように構成している。
【００５６】
特にこの実施の形態では、装着者の両肩部分と腰部にも当接部材10を設けている。これはウエイトリフティングの基本フォームにおいては、当該部位の前後位置を意識する事も重要である為である。
【００５７】
以上の様に、当該フォーム矯正具50は、スポーツの種類に応じて、動作の基本となるフォームを実現するために意識すべきポイントを装着者に認知させる為に使用する事ができる。よって、スポーツの種類や動作の種類によって、連結部材20の巻きまわし方や当接部材10の場所を変えれば、様々なスポーツの練習を効果的に実施する事ができる。
【産業上の利用可能性】
【００５８】
上記本発明にかかるフォーム矯正具は、各種スポーツの練習において利用する事ができ、ゴルフに限らず、野球、テニス等様々なスポーツにおいて利用する事ができる。また、このスポーツとしては、スポーツジム等における筋力増強などを目的としたスポーツも含み、言うなれば競技に限ることなく、筋力増強を目的とするなど、様々なスポーツにおいて利用する事ができる。
【符号の説明】
【００５９】
10    当接部材
20    連結部材
21    第１連結部
22    第２連結部
25    装着部分
26    中央部分
50    フォーム矯正具
【図１】
2017042460.tif 000003
【図２】
2017042460.tif 000004
【図３】
2017042460.tif 000005
【図４】
2017042460.tif 000006
【図５】
2017042460.tif 000007
【図６】
2017042460.tif 000008